(57)【要約】【課題】ユーザが通信品質の劣化原因を特定しやすい通信装置および情報表示方法を提供する。【解決手段】通信装置１０は、ＰＣ１２とＵＴ１４とを含む。ＵＴ１４は、相手装置から受信される無線信号の受信レベルを測定する受信レベル測定部３６と、その無線信号の受信品質を測定する受信品質測定部と、受信レベル測定部３６により測定される受信レベルに基づいて、その無線信号の適正受信品質を取得する適正受信品質取得部４０と、適正受信品質取得部４０により取得される適正受信品質と、受信品質測定部３８により測定される受信品質と、を比較する受信品質比較部４２と、を有する。ＰＣ１２は、ＵＴ１４の受信品質比較部４２による比較の結果に応じた情報を表示する表示部２０を有する。【選択図】図２
2010130107.tif 000002
【特許請求の範囲】
【請求項１】
相手装置から受信される無線信号の受信レベルを測定する受信レベル測定手段と、
前記無線信号の受信品質を測定する受信品質測定手段と、
前記受信レベル測定手段により測定される受信レベルに基づいて、前記無線信号の適正受信品質を取得する適正受信品質取得手段と、
前記適正受信品質取得手段により取得される適正受信品質と、前記受信品質測定手段により測定される受信品質と、の比較結果に応じた情報を表示する表示手段と、
を含むことを特徴とする通信装置。
【請求項２】
請求項１に記載の通信装置において、
前記比較結果は、前記適正受信品質取得手段により取得される適正受信品質と、前記受信品質測定手段により測定される受信品質と、の差分である、
ことを特徴とする通信装置。
【請求項３】
請求項１に記載の通信装置において、
前記比較結果は、前記適正受信品質取得手段により取得される適正受信品質と、前記受信品質測定手段により測定される受信品質と、の差分が閾値を超えるか否かの判定結果である、
ことを特徴とする通信装置。
【請求項４】
請求項１から３のいずれかに記載の通信装置において、
無線信号の受信レベルに関連づけて、該無線信号の適正受信品質を記憶する記憶手段をさらに含み、
前記適正受信品質取得手段は、前記記憶手段から、前記受信レベル測定手段により測定される受信レベルに関連づけられた適正受信品質を取得する、
ことを特徴とする通信装置。
【請求項５】
請求項１から４のいずれかに記載の通信装置において、
前記無線信号の適正受信品質は、当該通信装置の周辺に前記無線信号に対するノイズ源が存在しないという条件下における前記無線信号の受信品質である、
ことを特徴とする通信装置。
【請求項６】
相手装置から受信される無線信号の受信レベルを測定するステップと、
前記無線信号の受信品質を測定するステップと、
前記測定される受信レベルに基づいて、前記無線信号の適正受信品質を取得するステップと、
前記取得される適正受信品質と、前記測定される受信品質と、の比較結果に応じた情報を表示するステップと、
を含むことを特徴とする情報表示方法。
【発明の詳細な説明】
【技術分野】
【０００１】
本発明は、通信装置および情報表示方法に関し、特に、相手装置から受信される無線信号に係る情報を表示する技術に関する。
【背景技術】
【０００２】
ユーザがＰＣ（Personal Computer）や無線通信端末などの通信装置を利用して無線通信を行う際、無線環境によっては適切な通信が行えない場合がある。この場合、多くのユーザは、通信装置に表示される無線信号の受信レベルやそのインジケータに基づいて、通信品質の劣化原因を特定しようとする。
【０００３】
なお、特許文献１には、障害発生中に音声映像品質の劣化原因を特定し、その劣化原因をサービスの受視聴を中断させることなくユーザに通知する技術が開示されている。
【特許文献１】特開２００２−５１０４１号公報
【発明の開示】
【発明が解決しようとする課題】
【０００４】
しかしながら、従来の通信装置から得られる情報は、通信品質の劣化原因を特定しようとするユーザにとって十分なものではなかった。
【０００５】
本発明は、上記従来の課題に鑑みてなされたものであり、ユーザが通信品質の劣化原因を特定しやすい通信装置および情報表示方法を提供することを目的とする。
【課題を解決するための手段】
【０００６】
上記課題を解決するために、本発明に係る通信装置は、相手装置から受信される無線信号の受信レベルを測定する受信レベル測定手段と、前記無線信号の受信品質を測定する受信品質測定手段と、前記受信レベル測定手段により測定される受信レベルに基づいて、前記無線信号の適正受信品質を取得する適正受信品質取得手段と、前記適正受信品質取得手段により取得される適正受信品質と、前記受信品質測定手段により測定される受信品質と、の比較結果に応じた情報を表示する表示手段と、を含むことを特徴とする。
【０００７】
本発明によれば、通信装置が、相手装置から受信される無線信号の受信レベルに基づく適正受信品質と、その無線信号の受信品質と、の比較結果に応じた情報を表示するため、そのユーザは通信品質の劣化原因を特定しやすくなる。
【０００８】
また、本発明の一態様では、前記比較結果は、前記適正受信品質取得手段により取得される適正受信品質と、前記受信品質測定手段により測定される受信品質と、の差分である。
【０００９】
また、本発明の一態様では、前記比較結果は、前記適正受信品質取得手段により取得される適正受信品質と、前記受信品質測定手段により測定される受信品質と、の差分が閾値を超えるか否かの判定結果である。
【００１０】
また、本発明の一態様では、無線信号の受信レベルに関連づけて、該無線信号の適正受信品質を記憶する記憶手段をさらに含み、前記適正受信品質取得手段は、前記記憶手段から、前記受信レベル測定手段により測定される受信レベルに関連づけられた適正受信品質を取得する。
【００１１】
また、本発明の一態様では、前記無線信号の適正受信品質は、当該通信装置の周辺に前記無線信号に対するノイズ源が存在しないという条件下における前記無線信号の受信品質である。
【００１２】
また、本発明に係る情報表示方法は、相手装置から受信される無線信号の受信レベルを測定するステップと、前記無線信号の受信品質を測定するステップと、前記測定される受信レベルに基づいて、前記無線信号の適正受信品質を取得するステップと、前記取得される適正受信品質と、前記測定される受信品質と、の比較結果に応じた情報を表示するステップと、を含むことを特徴とする。
【発明を実施するための最良の形態】
【００１３】
以下、本発明の一実施形態を図面に基づいて詳細に説明する。
【００１４】
図１は、本発明の一実施形態に係る通信装置１０を示す図である。図２は、通信装置１０の機能ブロック図である。同図に示すように、通信装置１０は、ＰＣ１２と、ＰＣ１２に直接接続されるＵＴ（User Terminal）１４と、を含んで構成される。
【００１５】
ＰＣ１２は、たとえばラップトップ型のＰＣであり、図２に示すように、表示部２０と、制御部２２と、拡張インターフェース部２４と、を有する。
【００１６】
表示部２０は、液晶ディスプレイや有機ＥＬ（Organic Electro Luminescence）ディスプレイなどの表示装置で構成される。制御部２２は、たとえばＣＰＵ（Central Processing Unit）およびＣＰＵの動作を制御するプログラムで構成され、ＰＣ１２の各部を制御する。拡張インターフェース部２４は、ＰＣＭＣＩＡ（Personal Computer Memory Card International Association）スロットやＵＳＢ（Universal Serial Bus）端子などで構成される。
【００１７】
ＵＴ１４は、ＰＣＭＣＩＡ規格またはＵＳＢ規格などに準拠した無線通信端末であり、拡張インターフェース部２４を介して接続されるＰＣ１２の指示に従って、基地局１６（相手装置）と無線通信を行う。
【００１８】
本実施形態では、ＵＴ１４が、基地局１６から送信される無線信号を受信し、その無線信号の受信品質（Ｓ／Ｎ比（Signal to Noise Ratio：信号対雑音比）、スループットなど）を測定する。さらに、ＵＴ１４は、測定された受信品質（実測受信品質）とその適正受信品質とを比較する。無線信号の適正受信品質とは、たとえばその無線信号を受信するＵＴ１４の周辺にノイズ源が存在しないという条件下における無線信号の受信品質である。そして、ＵＴ１４は、得られた比較結果（適正受信品質と実測受信品質との差分など）に応じた情報を拡張インターフェース部２４を介してＰＣ１２に出力する。
【００１９】
ＰＣ１２は、ＵＴ１４から入力される適正受信品質と実測受信品質と比較結果に基づいて、その比較結果に応じた情報を表示部２０に表示する。このため、本実施形態に係る通信装置１０のユーザは、ＵＴ１４と基地局１６との間で行われる無線通信の品質が劣化した場合に、ＰＣ１２の表示部２０に表示される情報を参考にしながらその劣化原因を特定し除去することができる。
【００２０】
以下では、上記処理を実現するためにＵＴ１４およびＰＣ１２が備える構成について説明する。
【００２１】
図２に示すように、ＵＴ１４は、アンテナ３０、無線部３２、受信データ取得部３４、受信レベル測定部３６、受信品質測定部３８、適正受信品質取得部４０、受信品質比較部４２、記憶部４４、および情報出力部４６を有する。このうち、受信データ取得部３４、受信レベル測定部３６、受信品質測定部３８、適正受信品質取得部４０、および受信品質比較部４２は、たとえばＣＰＵおよびＣＰＵの動作を制御するプログラムで構成される。
【００２２】
アンテナ３０は、無線信号を受信し、受信された無線信号を無線部３２に出力する。無線部３２は、低雑音増幅器、周波数変換器、帯域通過フィルタ、Ａ／Ｄ変換器、および復調回路を含んで構成される。無線部３２は、アンテナ３０から入力される無線信号に、増幅、ダウンコンバート、Ａ／Ｄ変換、ディジタル復調などを施し、得られた基地局１６からの受信データを受信データ取得部３４に出力する。
【００２３】
受信データ取得部３４は、無線部３２から受信データを取得し、取得された受信データを受信レベル測定部３６および受信品質測定部３８に出力する。
【００２４】
受信レベル測定部３６は、受信データ取得部３４から入力される受信データに基づいて、基地局１６から受信される無線信号の受信レベルを測定する。
【００２５】
受信品質測定部３８は、受信データ取得部３４から入力される受信データに基づいて、基地局１６から受信される無線信号の受信品質を測定する。ここでは、受信品質測定部３８が、基地局１６から受信される無線信号のＳ／Ｎ比と、基地局１６からの受信データのスループットと、をその受信品質として測定する。
【００２６】
記憶部４４は、たとえば半導体メモリ素子で構成され、ＣＰＵにより使用される各種の制御プログラム、パラメータ、テーブル、文字情報、図形情報などを記憶する。図３は、記憶部４４に記憶される適正Ｓ／Ｎ比の一例を示す図である。図４は、記憶部４４に記憶される適正スループットの一例を示す図である。
【００２７】
図３に示すように、記憶部４４は、無線信号の受信レベルに関連づけて、その無線信号の適正Ｓ／Ｎ比を記憶している（図５に示すＳ／Ｎ比の適正値参照）。また、図４に示すように、記憶部４４は、無線信号の受信レベルに関連づけて、その無線信号の適正スループットも記憶している（図６に示すスループットの適正値参照）。ここで、無線信号の適正Ｓ／Ｎ比および適正スループットとは、たとえばその無線信号を受信するＵＴ１４の周辺にノイズ源が存在しないという条件下における無線信号のＳ／Ｎ比およびスループットである。
【００２８】
適正受信品質取得部４０は、受信レベル測定部３６により測定される受信レベルに基づいて、基地局１６から受信される無線信号の適正受信品質を取得する。ここでは、適正受信品質取得部４０が、記憶部４４から、受信レベル測定部３６により測定される受信レベルに関連づけられた適正Ｓ／Ｎ比と適正スループットとを適正受信品質として取得する。なお、適正受信品質取得部４０は、通信装置１０以外の装置から上記適正受信品質を取得してもよい。
【００２９】
受信品質比較部４２は、適正受信品質取得部４０により取得される適正受信品質と、受信品質測定部３８により測定される受信品質（実測受信品質）と、を比較し、適正受信品質、実測受信品質、およびそれらの比較結果などを情報出力部４６に出力する。ここで得られる比較結果は、適正受信品質と実測受信品質との差分であってもよいし、その差分が閾値を超えるか否かの判定結果であってもよいし、その他の結果であってもよい。
【００３０】
情報出力部４６は、受信品質比較部４２から入力される適正受信品質、実測受信品質、およびそれらの比較結果などを含む情報をＰＣ１２の拡張インターフェース部２４を介してＰＣ１２の制御部２２に出力する。
【００３１】
ＰＣ１２の制御部２２は、拡張インターフェース部２４を介してＵＴ１４の情報出力部４６から入力される適正受信品質、実測受信品質、およびそれらの比較結果などを含む情報に基づいて、適正受信品質、実測受信品質、およびそれらの比較結果に応じた情報などを表示部２０に表示する。具体的には、基地局１６から受信される無線信号の受信レベル、適正Ｓ／Ｎ比と実測Ｓ／Ｎ比、適正スループットと実測スループット、適正Ｓ／Ｎ比と実測Ｓ／Ｎ比との差分、適正スループットと実測スループットとの差分、適正Ｓ／Ｎ比と実測Ｓ／Ｎ比との差分に応じた図形情報、適正スループットと実測スループットとの差分に応じた図形情報、実測Ｓ／Ｎ比の正否（正常または異常）を示す文字情報または図形情報、実測スループットの正否を示す文字情報または図形情報などの全部または一部が表示部２０に表示される。
【００３２】
なお、実測Ｓ／Ｎ比の正否は、たとえば適正Ｓ／Ｎ比と実測Ｓ／Ｎ比との差分が閾値を超えるか否かの判定結果に応じて決定される情報である。同様に、実測スループットの正否は、たとえば適正スループットと実測スループットとの差分が閾値を超えるか否かの判定結果に応じて決定される情報である。
【００３３】
図５は、ＵＴ１４における受信レベルとＳ／Ｎ比（適正値および実測値）との関係を示す図である。図５に示すように、同一の受信レベルが得られているにもかかわらず、Ｓ／Ｎ比の実測値が適正値にならない場合がある。これは、ＵＴ１４が、その周辺に存在するノイズ源（ＰＣ１２内部のノイズ源など）の影響を受けているためである。逆に言えば、適正Ｓ／Ｎ比と実測Ｓ／Ｎ比との差分は、通信装置１０のユーザが通信品質の劣化原因を特定するための手がかりを与える情報として有用である。なお、図６に示す受信レベルとスループット（適正値および実測値）との関係についても、同様のことが言える。
【００３４】
上記のとおり、ＰＣ１２の表示部２０には、ＵＴ１４が基地局１６から受信した無線信号の適正Ｓ／Ｎ比と実測Ｓ／Ｎ比との比較結果（適正スループットと実測スループットとの比較結果）に応じた情報などが表示されるため、通信装置１０のユーザは、それらの情報に基づいて、通信品質の劣化原因を特定することができる。さらに、通信装置１０のユーザは、ＵＴ１４のアンテナ３０を伸縮させたり、アンテナ３０の角度を調整したり、ＰＣ１２内部のノイズ源を電波吸収体やシールド材などで覆ったりすることにより、特定された通信品質の劣化原因を除去することができる。
【００３５】
ここで、通信装置１０（ＵＴ１４およびＰＣ１２）の動作について説明する。図７は、基地局１６から受信される無線信号に係る情報を表示する通信装置１０の処理の一例を示すフロー図である。
【００３６】
ＵＴ１４は、基地局１６からの受信データを取得すると（Ｓ１００）、取得された受信データに基づいて、基地局１６から受信される無線信号の受信レベルを測定する（Ｓ１０２）。さらに、ＵＴ１４は、Ｓ１００で取得された受信データに基づいて、基地局１６から受信される無線信号のＳ／Ｎ比（実測Ｓ／Ｎ比）とスループット（実測スループット）とを測定する（Ｓ１０４）。
【００３７】
次に、ＵＴ１４は、記憶部４４から、Ｓ１０２で測定された受信レベルに関連づけられた適正Ｓ／Ｎ比と適正スループットとを取得する（Ｓ１０６）。そして、ＵＴ１４は、適正Ｓ／Ｎ比と実測Ｓ／Ｎ比とを比較するとともに（Ｓ１０８）、適正スループットと実測スループットとを比較する（Ｓ１１０）。その後、ＵＴ１４は、その比較結果（適正Ｓ／Ｎ比と実測Ｓ／Ｎ比との差分、適正スループットと実測スループットとの差分など）を含む情報をＰＣ１２に出力する。
【００３８】
ＰＣ１２は、ＵＴ１４から入力される情報に基づいて、Ｓ１０６およびＳ１０８における比較結果に応じた情報（適正Ｓ／Ｎ比と実測Ｓ／Ｎ比との差分、適正スループットと実測スループットとの差分、実測Ｓ／Ｎ比の正否、実測スループットの正否などを示す文字情報または図形情報）を表示部２０に表示する（Ｓ１１２）。
【００３９】
以上説明した通信装置１０によれば、基地局１６から受信される無線信号の受信レベルに基づく適正受信品質と、その無線信号の受信品質と、の比較結果に応じた情報がＰＣ１２の表示部２０に表示されるため、そのユーザは通信品質の劣化原因を特定しやすくなる。
【００４０】
なお、本発明は、上記実施形態に限定されるものではなく、種々の変形実施が可能である。
【００４１】
たとえば、上記実施形態では、無線信号の受信品質に対応する代表的なパラメータとしてＳ／Ｎ比とスループットを示したが、他のパラメータ（Ｃ／Ｎ比（搬送波対雑音比）、ＢＥＲ（Bit Error Rate：ビット誤り率）など）を受信品質として用いてもよい。また、無線信号の適正受信品質として、通信装置の周辺にノイズ源が存在しないという条件の代わりに、異なる条件（たとえば、ある所定レベル未満の妨害波が存在するという条件）の下における受信品質を用いてもよい。
【００４２】
また、上記実施形態では、ＰＣ１２とＵＴ１４と含む通信装置１０に本発明を適用したが、本発明は、無線通信手段を備えるＰＣや、液晶パネルまたはＬＥＤ（Light Emitting Diode）などの表示手段を備える無線通信端末などの通信装置に広く適用可能である。
【図面の簡単な説明】
【００４３】
【図１】本発明の実施形態に係る通信装置を示す図である。
【図２】本発明の実施形態に係る通信装置の機能ブロック図である。
【図３】記憶部に記憶される適正Ｓ／Ｎ比の一例を示す図である。
【図４】記憶部に記憶される適正スループットの一例を示す図である。
【図５】受信レベルとＳ／Ｎ比（適正値および実測値）との関係を示す図である。
【図６】受信レベルとスループット（適正値および実測値）との関係を示す図である。
【図７】基地局から受信される無線信号に係る情報を表示する通信装置の処理の一例を示すフロー図である。
【符号の説明】
【００４４】
１０  通信装置、１２  ＰＣ（Personal Computer）、１４  ＵＴ（User Terminal）、１６  基地局、２０  表示部、２２  制御部、２４  拡張インターフェース部、３０  アンテナ、３２  無線部、３４  受信データ取得部、３６  受信レベル測定部、３８  受信品質測定部、４０  適正受信品質取得部、４２  受信品質比較部、４４  記憶部、４６  情報出力部。
【図１】
2010130107.tif 000003
【図２】
2010130107.tif 000004
【図３】
2010130107.tif 000005
【図４】
2010130107.tif 000006
【図５】
2010130107.tif 000007
【図６】
2010130107.tif 000008
【図７】
2010130107.tif 000009